(57)【特許請求の範囲】
【請求項１】
遊技盤面に複数の始動口が設けられ、そのいずれかの始動口に遊技球が入賞することにより可変入賞装置の可動片が開成し、該可変入賞装置に入賞した遊技球がさらに該可変入賞装置内の特定入賞口に入賞した場合に大当たりが発生し該可変入賞装置が連続的に開成状態となるパチンコ遊技機において、可変入賞装置内に特定入賞口への入賞の難易度を制御し得る電動部材を設け、複数の始動口のどの始動口に遊技球が入賞したかによって該電動部材の設定を異ならしめ、該電動部材が特定入賞口へ入賞し難いように設定されているときに大当たりが発生した場合は該電動部材が特定入賞口へ入賞し易いように設定されているときに大当たりが発生した場合と比較して可変入賞装置が連続的に開成状態となり得る回数が多くなるように設定し、複数の始動口と電動部材の設定と大当たり動作中に可変入賞装置が連続的に開成状態となり得る回数との間に相関関係を持たせるようにしたことを特徴とするパチンコ遊技機。
【請求項２】
複数の始動口と電動部材の設定との間の相関関係は、所定条件が成立したときに変更されるようにした請求項１に記載のパチンコ遊技機。
【請求項３】
電動部材の設定と大当たり動作中に可変入賞装置が連続的に開成状態となり得る回数との間の相関関係は、所定条件が成立したときに変更されるようにした請求項１に記載のパチンコ遊技機。
【請求項４】
複数の始動口と大当たり動作中に可変入賞装置が連続的に開成状態となり得る回数との間の相関関係は、所定条件が成立したときに変更されるようにした請求項１に記載のパチンコ遊技機。
【請求項５】
予め定められた所定条件を満たしたとき、複数の始動口のいずれの始動口に遊技球が入賞した場合であっても特定入賞口へ入賞し易いように電動部材が設定されるようにしたことを特徴とする請求項１〜４に記載のパチンコ遊技機。
【請求項６】
予め定められた所定条件を満たしたとき、複数の始動口のいずれの始動口に遊技球が入賞した場合であっても大当たり動作中に可変入賞装置が連続的に開成状態となり得る回数が多く設定されるようにしたことを特徴とする請求項１〜４に記載のパチンコ遊技機。
【請求項７】
予め定められた終了条件を満たしたとき、遊技者にとって有利な遊技モードが終了するようにした請求項１〜６に記載のパチンコ遊技機。
【発明の詳細な説明】
【０００１】
【発明の属する技術分野】
本発明は特定の条件を満たしたときに大当たりが発生し可変入賞装置の可動片が継続的に開閉動し遊技球が極めて入賞し易くなるように構成された「ヒコーキ」，「羽根物」等と称される第２種パチンコ遊技機に関するものである。
【０００２】
【従来の技術】
「ヒコーキ」，「羽根物」等と称される第２種パチンコ遊技機は、周知のように、一対の可動片を球入口に備える可変入賞装置が遊技盤に設けられ、所定の始動口に遊技球が入賞すると、ソレノイドが作動して該可動片が１回ないし２回開き、遊技盤面を流下する遊技球がこの可動片で捕捉されて該可変入賞装置に入るように構成されている。そしてこの可変入賞装置内にはさらにＶゾーンと称される特定入賞口が設けられ、該可変入賞装置に入賞した遊技球がこの特定入賞口に入賞した場合は大当たりが発生し、可動片が開閉し（第１ラウンドが始まる）、該可変入賞装置に遊技球が１０個入賞するか、もしくは該可動片が１８回開閉すると第１ラウンドが終り、その第１ラウンドの間に該可変入賞装置に入賞した遊技球の内少なくとも１個が特定入賞口に入賞していた場合は、第２ラウンドが開始されて第１ラウンドと同様に該可動片の開閉がさらに繰り返され、以下同様のラウンドが最高で第１５ラウンドまで繰り返され、こうした大当たり状態の期間中に多数の賞球が獲得できるようにしたものである。
【０００３】
ところで、従来のこの種のパチンコ遊技機は、大当たりが発生し可変入賞装置が連続的に開成状態となり得る回数（以下「最高ラウンド数」という）が例えば１５回と決められていたので、この大当たり動作中に払出される賞球数がこれによって略々決められてしまい、面白みに欠けるものであった。また、大当たりが発生すると例えばサイコロのような抽選手段がディスプレイに表示され、その停止図柄に従い最高ラウンド数が決定されるようにしたものもあった。
【０００４】
【発明が解決しようとする課題】
しかしながら上記従来のパチンコ遊技機では、最高ラウンド数の決定に対し遊技者が関与する余地はなく、結局は遊技が画一的でしかないので、遊技者に飽きられ易い欠点がある。
本発明は上記課題を解決し、この種のパチンコ遊技機の醍醐味を増大させようとするものである。
【０００５】
【課題を解決するための手段】
そのために本発明は、遊技盤面に複数の始動口が設けられ、そのいずれかの始動口に遊技球が入賞することにより可変入賞装置の可動片が開成し、該可変入賞装置に入賞した遊技球がさらに該可変入賞装置内の特定入賞口に入賞した場合に大当たりが発生し該可変入賞装置が連続的に開成状態となるパチンコ遊技機において、可変入賞装置内に特定入賞口への入賞の難易度を制御し得る電動部材を設け、複数の始動口のどの始動口に遊技球が入賞したかによって該電動部材の設定を異ならしめ、該電動部材が特定入賞口へ入賞し難いように設定されているときに大当たりが発生した場合は該電動部材が特定入賞口へ入賞し易いように設定されているときに大当たりが発生した場合と比較して可変入賞装置が連続的に開成状態となり得る回数が多くなるように設定し、複数の始動口と電動部材の設定と大当たり動作中に可変入賞装置が連続的に開成状態となり得る回数との間に相関関係を持たせるようにしたことを特徴とする。
また本発明は上記パチンコ遊技機において、複数の始動口と電動部材の設定との間の相関関係は、所定条件が成立したときに変更されるようにしたことを特徴とする。
また本発明は上記パチンコ遊技機において、電動部材の設定と大当たり動作中に可変入賞装置が連続的に開成状態となり得る回数との間の相関関係は、所定条件が成立したときに変更されるようにしたことを特徴とする。
また本発明は上記パチンコ遊技機において、複数の始動口と大当たり動作中に可変入賞装置が連続的に開成状態となり得る回数との間の相関関係は、所定条件が成立したときに変更されるようにしたことを特徴とする。
また本発明は上記パチンコ遊技機において、予め定められた所定条件を満たしたとき、複数の始動口のいずれの始動口に遊技球が入賞した場合であっても特定入賞口へ入賞し易いように電動部材が設定されるようにしたことを特徴とする。
また本発明は上記パチンコ遊技機において、予め定められた所定条件を満たしたとき、複数の始動口のいずれの始動口に遊技球が入賞した場合であっても大当たり動作中に可変入賞装置が連続的に開成状態となり得る回数が多く設定されるようにしたことを特徴とする。
また本発明は上記パチンコ遊技機において、予め定められた終了条件を満たしたとき、遊技者にとって有利な遊技モードが終了するようにしたことを特徴とする。
【０００６】
【発明の実施の形態】
次に本発明の実施の形態を図面に従い説明する。図１はこのパチンコ遊技機の遊技盤１を示すもので、２はその前面中央に設けられた可変入賞装置、３Ａ,３Ｂ,３Ｃは該可変入賞装置の下部に並設された３つの始動口、４，５は普通入賞口である。
【０００７】
上記可変入賞装置２は、図２に部分断面拡大図にて示し、図３,図４にそのＡ−Ａ線断面図およびＢ−Ｂ線断面図を示したように、半透明なプラスチック板からなる取付基板１０の前面に突出する枠体１１を形成し、該枠体１１によって囲われた遊技室１２をその背後に形成するとともに、該遊技室の後側正面壁１３に人形１４を突出状に形成した箱状体１５を固着し、該枠体１１の上辺部両サイドにカウントスイッチ１６を備えた可変入賞口１７を形成し、該可変入賞口の両側にソレノイド１８の作動により起立または外側に傾動することで該可変入賞口を開閉させる一対の可動片２０を設けている。該可動片２０は軸受部２１に回転自在に支持した回動軸２２の先端に設けられ、該回動軸の後端部にクランク２３及び作動部材２４を介してソレノイド１８を連結し、該ソレノイドが動作すると該可動片２０が図２に仮想線・実線で示したように起立または傾動し、その傾動時に遊技盤１面を流下する遊技球が捕捉されて可変入賞口１７に入り、該遊技球は枠体１１によって囲われた遊技室１２に流落し得るようにしている。なお、３０は該枠体１１の上部に間隔３１を離して形成された突出部で、該突出部に普通入賞口３２が設けられ、該突出部の前面にはドットマトリックス表示器３３が設けられている。
【０００８】
上記遊技室１２には中間高さ位置に横断状であって後方へ向けて緩やかに下傾するように傾斜棚３４が形成され、可変入賞口１７に入った遊技球は該傾斜棚上に一旦落下する。該傾斜棚の後縁は遊技球が落下し得る間隔３５を離して前記人形１４と相対している。また、該遊技室１２の床面３６は緩やかな前傾状に形成され、その前縁中央に特定入賞口３７を形成し該特定入賞口に継続スイッチ３８を設けるとともに、該特定入賞口の両サイドにやや広めの普通入賞口３９を形成している。
【０００９】
４０は人形１４の腹部に前方に進出可能に設けられたポケット形の進退動型電動部材、４１は該電動部材を進退動させるために設けられたソレノイドである。該人形１４の後側に相当する後側正面壁１３の裏側には遊技球が通過し得る通路４２が形成され該通路は該人形１４の股下部に開設された放出口４３に連通する。４４はソレノイド４５の作動により枢支部４６を支点として傾動するように支持された停留レバーで、その傾動により該停留レバーの先端４７が放出口４３と相対するように床面３６より出没し、放出口４３から放出された遊技球が該停留レバーにより一時停留されるように構成している。
【００１０】
また、５０は人形１４の両側で傾斜棚３４の両サイド奥部に設けられた半球殻状の回転型電動部材、５１は該電動部材を先端に支持している回転軸で、該回転軸は歯車５２を介して可変速モータ５３に連繋され、該モータを駆動することにより該電動部材５０は図２矢印の方向に回転する。該電動部材５０には等間隔にサムネイル形の透孔５４が形成され、傾斜棚３４上に落下した遊技球は前記間隔３５から落下するほか該透孔５４からその内側に落下し得る。５５は後側正面壁１３の前記放出口４３の両側に開設されたサブ放出口、５６は透孔５４から落下した遊技球を該サブ放出口に導くために該電動部材５０内から該サブ放出口に至る傾斜状に形成した曲り通路である。
【００１１】
このため、可変入賞口１７に入りカウントスイッチ１６を通過し傾斜棚３４上に落下した遊技球Ｂは該傾斜棚３４上を後方に転がって前記間隔３５から人形１４の前に落下したり、或は、該傾斜棚３４上にて両サイドにずれると回転中の回転型電動部材５０に接触して弾かれたり、或は透孔５４中に転落する。そのとき電動部材５０の回転速度が遅いと透孔５４に転落し易くなる。そして透孔５４に転落した遊技球はサブ放出口５５から床面３６上に放出されることから直下方に転がって普通入賞口３９に入賞し易く、特定入賞口３７に入賞することは殆どない。また間隔３５から床面３６上に落下した遊技球は特定入賞口３７に入賞することもあるが、普通入賞口３９に入賞する確率も高い。
【００１２】
また遊技球が間隔３５から落下するときソレノイド４１の作動で進退動型電動部材４０が図３に破断線で示したように進出していると該遊技球が該電動部材４０によって受けられて該電動部材４０が後退したときに該遊技球は通路４２を通って放出口４３より放出され、破断線で示したように停留レバー４４の先端４７が突出していることで該遊技球は一時停留され、その後、床面３６を真直ぐ前方に転がることから中央の特定入賞口３７に容易に入賞し継続スイッチ３８を作動させる。
【００１３】
このパチンコ遊技機では、前記表示器３３，ソレノイド１８，ソレノイド４１，ソレノイド４５, 可変速モータ５３がＣＰＵ,ＲＯＭ,ＲＡＭ,Ｉ／Ｏ等からなるマイクロコンピュータ６０の指令により作動し、図５に示したように、該マイクロコンピュータ６０には前記始動口３Ａ,３Ｂ,３Ｃに入賞した遊技球を検出する球検出スイッチ６１Ａ,６１Ｂ,６１Ｃが夫々接続されているほか、前記カウントスイッチ１６，継続スイッチ３８が接続されている。
【００１４】
次に本発明との関連部分を示した図６のフローチャートに従いこのパチンコ遊技機の作動を説明する。ステップａにて遊技球が始動口３Ａに入賞したことが検知されると、ステップｂにて可変入賞装置２の動作態様として表１に示したように予め定められたモードＡをセットする。また、ステップｃにて遊技球が始動口３Ｂに入賞したことが検知された場合はステップｄにて可変入賞装置２の動作態様として表１に示したモードＢをセットし、ステップｅにて遊技球が始動口３Ｃに入賞したことが検知された場合はステップｆにて可変入賞装置２の動作態様として表１に示したモードＣをセットする。
【表１】
0003725056.tif 000002
【００１５】
そしてステップｇにてモードセット済であることが判別されると、ステップｈにてこのセットされたモードに基づき可変入賞装置２を動作させる。即ち、いまモードＡがセットされていた場合は、ソレノイド１８を作動させ可動片２０を１回（開時間０．４秒）開閉させるとともに、ソレノイド４１を作動させ電動部材４０を１回（進出時間０．４秒）進退動させる。また、モードＢがセットされていた場合は、可動片２０を２回（開時間０．４秒）開閉させるとともに、電動部材４０を２回（進出時間０．４秒）進退動させ、モードＣがセットされていた場合は、可動片２０を２回（開時間０．４秒）開閉させるとともに、電動部材４０を２回（進出時間１．２秒）進退動させる。
【００１６】
そして、遊技球が特定入賞口３７に入ったことがステップｉにて検知されると、ステップｊにて現況セットされているモードの最大ラウンド数がセットされる。即ち、モードＡがセットされている場合は最大ラウンド数として１５回がセットされ、モードＢでは１０回、モードＣでは５回がセットされる。そしてステップｋにて大当たり処理がなされる。この大当たり処理では、可動片２０が開閉し（第１ラウンドが始まる）、可変入賞口１７に遊技球が１０個入賞するか、もしくは該可動片が１８回開閉すると第１ラウンドが終り、その第１ラウンドの間に該可変入賞装置に入賞した遊技球の内少なくとも１個が特定入賞口３７に入賞していた場合は、第２ラウンドが開始されて第１ラウンドと同様に該可動片の開閉がさらに繰り返され、以下同様の動作が上記のようにセットされた最大ラウンド数に至るまで繰り返される。
【００１７】
このため、遊技球が始動口３Ａに入賞したときは電動部材４０の進退動回数は１回であるのに対し、始動口３Ｂに入賞したときは２回となり、さらに始動口３Ｃに入賞したときはその進出時間が１．２秒に延長されることから、遊技球が特定入賞口３７に入り易くなり、大当たりを発生させ易い。しかし、始動口３Ａに入賞して大当たりを発生させたときは最大ラウンド数が１５回に設定されその大当たり動作中に多数の賞球を獲得し得るのに対し、始動口３Ｂに入賞して大当たりを発生させたときは最大ラウンド数が１０回に設定され、始動口３Ｃに入賞して大当たりを発生させたときはこれが僅か５回に設定されることから、その大当たり動作中に獲得し得る賞球数は限られたものとなる。本発明ではこのように入賞した始動口と電動部材４０の設定と大当たり動作中に獲得し得る賞球数との間に相関関係を持たせバランスよく賞球が獲得できるようになる。
【００１８】
なお、この実施形態では進退動型電動部材４０の進出回数および進出時間を制御することにより遊技球が特定入賞口３７に入賞する難易度が調整されるようにしたが、上記回転型電動部材５０の回転速度を制御することによって難易度が調整されるようにしてもよい。即ち、回転型電動部材５０は遅く回転させるほど遊技球が透孔５４に落下し易くなり特定入賞口３７に入賞し難くなるので、表２に例示したように、モードＡ,Ｂ,Ｃを定め、始動口３Ａに入賞したときは電動部材５０が１０秒で１回転し、そのとき大当たりが発生した場合の最大ラウンド数は１５回に設定し、始動口３Ｂに入賞したときは電動部材５０が７秒で１回転し、そのとき大当たりが発生した場合の最大ラウンド数は１０回に設定し、始動口３Ｃに入賞したときは電動部材５０が４秒で１回転し、そのとき大当たりが発生した場合の最大ラウンド数は５回に設定する。このように、特定入賞口３７への入賞の難易度はこのような形態の電動部材によっても適宜設定できる。また大当たりによって獲得し得る賞球数についても最高ラウンド数の設定を変更することのほか、払出賞球数を変更することによっても可能である。
【表２】
0003725056.tif 000003
【００１９】
また、複数の始動口３Ａ,３Ｂ,３Ｃと電動部材４０,５０の設定との間の相関関係は、例えば、大当たりが発生する度に変更したり、特定の入賞口に入賞したとき等の所定条件が成立したときに変更することが可能であり、これによって一層変化に富んだ遊技が可能となる。
【００２０】
また、大当たり処理が終了した後に、図７のフローチャートに示したように、例えば上記表示器３３に図柄をルーレットのような形態にて変動表示することで遊技モードを抽選し、所定の確率で「アタリ」となった場合はいずれの始動口に入賞した場合でも電動部材４０を２回（進出時間１．２秒）進退動させ最大ラウンド数は１５回とする優遇モードをセットするとともに、図８に示したように、優遇モード中であるときは可変入賞装置２を常にこの動作態様にて作動させることで、いずれの始動口に遊技球が入賞した場合であっても特定入賞口へ入賞し易いように電動部材が設定され、なおかつ、いずれの始動口に遊技球が入賞した場合であっても大当たり動作中に獲得し得る賞球数が多く設定されるようにすることができる。なお、上記遊技モード抽選時のアタリ確率は、例えば１／３〜１／１０等適宜設定することができるが、アタリ確率を一律とせず、例えば始動口３Ａに入賞したことで大当たりを発生させた場合は１／３とし、始動口３Ｂでは１／５、始動口３Ｃでは１／１０とするなど変動させることもできる。
【００２１】
また、図９に例示したフローチャートにより、上記優遇モード中に発生した大当たりの発生回数を計数し、その発生回数が３回になったときにこの優遇モードを終了させることで、冗長に優遇モードが続くことが避けられる。
また、優遇モードを終らせる条件としては、表示器３３に上記のような抽選を表示してその結果によるようにしたり、所定の入賞口に入賞することを条件とすることも可能である。
【００２２】
【発明の効果】
このように本発明は、複数の始動口と電動部材の設定と大当たり動作中に可変入賞装置が連続的に開成状態となり得る回数との間に相関関係を持たせたことにより、入賞した始動口によって遊技態様が変って来るので、遊技者はいまどの始動口への入賞を狙うべきかといった詮索がなされ、いわゆる第２種パチンコ遊技機の可変入賞装置の動作が多様化し、興趣を増大させる顕著な効果がある。
【図面の簡単な説明】
【図１】本発明に係るパチンコ遊技機の実施形態を示す遊技盤の正面図。
【図２】図１の可変入賞装置の部分断面拡大図。
【図３】図２のＡ−Ａ線断面図。
【図４】図２のＢ−Ｂ線断面図。
【図５】本発明に係るパチンコ遊技機のブロック図。
【図６】本発明に係るパチンコ遊技機のフローチャート。
【図７】本発明に係るパチンコ遊技機のフローチャート。
【図８】本発明に係るパチンコ遊技機のフローチャート。
【図９】本発明に係るパチンコ遊技機のフローチャート。
【符号の説明】
１                遊技盤
２                可変入賞装置
３Ａ,３Ｂ,３Ｃ    始動口
１７              可変入賞口
２０              可動片
３７              特定入賞口
４０              進退動型電動部材
５０              回転型電動部材
【図１】
0003725056.tif 000004
【図２】
0003725056.tif 000005
【図３】
0003725056.tif 000006
【図４】
0003725056.tif 000007
【図５】
0003725056.tif 000008
【図６】
0003725056.tif 000009
【図７】
0003725056.tif 000010
【図８】
0003725056.tif 000011
【図９】
0003725056.tif 000012